(57)【要約】【課題】  浴槽、洗面槽等の水槽底部に開設した排水口に着脱自在に装着される排水栓栓の支持軸に形成された凹溝内のヌメリやカビの付着を防止し、常時凹溝内を清潔に保つことができる排水栓を提供する。【解決手段】  浴槽や洗面槽などの水槽底部に開設した排水口に着脱自在に装着される排水栓であって、その栓蓋を支持する支持軸の外周面に凹溝を周設し、該凹溝に着脱自在に平面形状が略Ｃ字状のリングを装着し、該Ｃ字状のリングより上方にヘアーキャッチャーを装着し、該ヘアーキャッチャーは、上記支持軸から着脱するときに、上記リングを乗り越えて着脱できるように構成されてなる排水栓を技術的前提とし、上記リングを縦断面略Ｄ字状で、上記リングの内周面は、垂直であり、かつ、その上下端部は鋭角に形成し、かつ、該リングの外周面を、排水流が効率良く衝突して、該リングが上記凹溝内を揺れ動く形状に形成し構成した。【選択図】図１
2010255282.tif 000002
【特許請求の範囲】
【請求項１】
浴槽や洗面槽などの水槽底部に開設した排水口に着脱自在に装着される排水栓であって、その栓蓋を支持する支持軸の外周面に凹溝を周設し、該凹溝に着脱自在に平面形状が略Ｃ字状のリングを装着し、該Ｃ字状のリングより上方にヘアーキャッチャーを装着し、該ヘアーキャッチャーは、上記支持軸から着脱するときに、上記リングを乗り越えて着脱できるように構成されてなる排水栓において、
上記リングを縦断面略Ｄ字状で、上記リングの内周面は、垂直であり、かつ、その上下端部は鋭角に形成されていることを特徴とする排水栓。
【請求項２】
前記リングは硬質合成樹脂で形成されることを特徴とする請求項１に記載の排水栓。
【請求項３】
前記リングを径方向に弾性変形可能に形成するとともに、該リングの両端部を非対称に傾斜させ、該リングを径方向に圧縮すると上記両端部が重なり合うように形成されていることを特徴とする請求項１乃至請求項３のいずれかに記載の排水栓。
【発明の詳細な説明】
【技術分野】
【０００１】
この発明は、浴槽、洗面槽等の水槽底部に開設した排水口に着脱自在に装着される排水栓に係り、特に、排水栓の支持軸に形成された凹溝内のヌメリやカビの付着を防止し、常時凹溝内を清潔に保つことができる排水栓に関する。
【背景技術】
【０００２】
排水栓の支持軸にヘアーキャッチャーを上下動可能に装着し、この支持軸の下部に凹溝を周設し、該凹溝に柔軟な材質からなる弾性部材やＣリングを嵌入し、ヘアーキャッチャーを該弾性部材やＣリングを超えて着脱自在に構成した排水栓が、例えば特許文献１に示すように知られている。
【０００３】
【特許文献１】特許第３９２８１４４号公報
【発明の開示】
【発明が解決しようとする課題】
【０００４】
この公知技術では、ヘアーキャッチャーが簡単に着脱できるため、該ヘアーキャッチャー自体の清掃は簡単にできるが、支持軸に形成された凹溝内にヌメリやカビが発生した場合、特に、該凹溝の角部が清掃しにくい、という問題を有していた。
【０００５】
この発明は、かかる現状に鑑み創案されたものであって、その目的とするところは、浴槽、洗面槽等の水槽底部に開設した排水口に着脱自在に装着される排水栓の支持軸に形成された凹溝内のヌメリやカビの付着を自動的に清掃して防止し、常時凹溝内の角部は勿論、該凹溝内全体を清潔に保つことができる排水栓を提供しようとするものである。
【課題を解決するための手段】
【０００６】
上記目的を達成するため、請求項１に記載の発明にあっては、浴槽や洗面槽などの水槽底部に開設した排水口に着脱自在に装着される排水栓であって、その栓蓋を支持する支持軸の外周面に凹溝を周設し、該凹溝に着脱自在に平面形状が略Ｃ字状のリングを装着し、該Ｃ字状のリングより上方にヘアーキャッチャーを装着し、該ヘアーキャッチャーは、上記支持軸から着脱するときに、上記リングを乗り越えて着脱できるように構成されてなる排水栓を技術的前提とし、上記リングを縦断面略Ｄ字状で、上記リングの内周面は、垂直であり、かつ、その上下端部は鋭角に形成されていることを特徴とする。
【０００７】
また、請求項２に記載の発明にあっては、請求項１に記載の排水栓を技術的前提とし、リングは硬質合成樹脂で形成されることを特徴とする。この場合、硬質合成樹脂は軽量な硬質合成樹脂で、例えば、ポリエチレン、ポリプロピレン等が好ましいが、特に、摺動性に優れ耐薬品性に優れたＰＯＭ（ポリアセタール）を用いるのが好適である。
【０００８】
また、請求項３に記載の発明にあっては、請求項１又は請求項２のいずれかに記載の排水栓を技術的前提とし、前記リングを径方向に弾性変形可能に形成するとともに、該リングの両端部を非対称に傾斜させ、該リングを径方向に圧縮すると上記両端部が重なり合うように形成されていることを特徴とする。
【発明の効果】
【０００９】
以上説明したように、請求項１に記載の発明にあっては、リングを縦断面略Ｄ字状で、上記リングの内周面は、垂直であり、かつ、その上下端部は鋭角に形成されているので、該リングの外周面がアール形状でヘアーキャッチャーの抜き差しに際して引っ掛かりがなく着脱し易く、且つ、リング内周面は凹溝内面に対して、垂直であり凹溝内高さ方向全体に接触させることができるとともに、その上下端部は鋭角に形成したので、凹溝入隅にリングの上下端角部が接触して、排水流が衝突して、常に効率よく凹溝内を磨くことができ、該凹溝内にヌメリやカビが発生しにくい、という効果を得ることができる。
【００１０】
また、請求項２に記載の発明にあっては、リングを硬質合成樹脂で形成したので、排水流が衝突して、該リングが上記凹溝内を軽くて揺れ動き易く、リングが排水流に当たるたびに、該リングが凹溝内で揺れ動き、該凹溝内にヌメリやカビが発生しないように自動的に清掃することができ、衛生的である、という作用・効果を奏することができる。
【００１１】
また、請求項３に記載の発明にあっては、リングを径方向に弾性変形可能に形成するとともに、該リングの両端部を非対称に傾斜させ、該リングを径方向に圧縮すると上記両端部が重なり合うように形成したので、排水流がリングの非対称の傾斜部分に衝突して、リングが凹溝内で回転し易く、さらにリングが凹溝内で擦れ合い、凹溝内をより清潔に保つことができるとともに、両端が重なり合うように形成したので、Ｃリングの切れ目が使用者に見え難く、誤って使用者がＣリングを凹溝から取外しリングを無くしたり壊したりするトラブルを未然に抑制することができる。
【発明を実施するための最良の形態】
【００１２】
以下、添付図面に示す発明の実施形態例に基づき、この発明を詳細に説明する。
【００１３】
図１は、この発明の排水栓の概略的な構成を示す説明図を、図２は同排水栓の支持軸の下部に形成された凹溝に嵌入された第１実施形態例に係る弾性部材たるリングの装着状態を示す斜視図を、図３は同リングを装着した状態の断面図を、図４は同リングの平面図を、図５は同リングの縦断面図を、図６は同リングを支持軸の凹溝に装着した状態の平面説明図である。
【００１４】
即ち、本第１実施形態例では、浴槽、洗面槽等の水槽Ｗ底部に開設した排水口１に着脱自在に装着される排水栓１０において、その栓蓋１１を支持する丸棒状の支持軸１２が栓蓋１１の下面から垂設している。この支持軸１２の外周面の下部に凹溝１３を周設し、この凹溝１３に支持軸１２より僅かに大径なる軽量で硬質な合成樹脂材からなる弾性部材である一部切欠した平面略Ｃ字状のリング１４を嵌入しており、このリング１４より上方に毛髪、コンタクトレンズ等を捕捉する２個のヘアーキャッチャー１５，１５を上下及び回転摺動自在に取り付け、このヘアーキャッチャー１５，１５の不慮の抜脱を防止している。
【００１５】
そして、上記リング１４は、図３と図４に示すように、縦断面略Ｄ字状に形成されており、該リング１４の外周面１４Ａを、排水流が効率良く衝突して、該リング１４が上記凹溝１３内で効率良く揺れ動くことができ、凹溝１３内にヌメリやカビが発生しないように自動的に清掃するため、衛生的である。
【００１６】
尚、上記リング１４は、例えば、ＳＵＳなども使用できるが、ポリエチレン、ポリプロピレン（ＰＰ）等の軽量な硬質合成樹脂を用いるのが好ましく、特に、摺動性に優れ耐薬品性に優れたＰＯＭ（ポリアセタール）を用いるのが好適である。
【００１７】
また、上記リング１４の内周面１４Ｂは、図３と図４に示すように、垂直であり、かつ、その上下端部は鋭角に形成されている。これにより、凹溝１３の角部をリング内周面１４Ｂが接触して、常に凹溝１３内を磨くことができ、該凹溝１３内にヌメリやカビが発生しにくい、という効果が得られる。
【００１８】
尚、リングの縦断面略Ｄ字状とは、リング１４の凹溝１３内での上下動で、リング内周面１４Ｂと凹溝内支持軸外周面が上下方向全長に渡って接触摺動可能なようにリング内周面１４Ｂと支持軸外周面の上下方向が対応した形状であることを意味し、且つ、リング１４の外周上下端を面取りしたアール状に形成したもので、リング１４の取外し又は挿入に際して引っ掛かり抵抗が少なく着脱できる断面形状であり、断面方形で外周上下端を面取りしたものや、断面半円形状などのものが含まれる。
【００１９】
次に、凹溝１３内でのリングの揺動回転について説明する。
排水口１に排水栓１０を装着した状態では、下段のヘアーキャッチャー１５は排水口１０内の周設突起２に係止して降下停止し、上段のヘヤーキャッチャー１５でボウル底面の排水口１からの毛髪やコンタクトレンズを捕捉し、下段のヘアーキャチャ１５でオーバーフロー管３からの流出するゴミを捕捉する構造となっており、支持軸１２の下方の凹溝１３はヘヤーキャッチャー１５の下方に位置してヘヤーキャチャー１５には接触しないで、凹溝に嵌入したリングは自由に上下動又は回転可能な状態に維持される。
【００２０】
排水のために栓蓋１１を開くと排水流は、ヘヤーキャチャー１５，１５の隙間を経由して下流の図示しない配水管に流出するが、この排水流は支持軸１２に嵌入されたリング１４にも衝突したのちに配水管に排出される。
【００２１】
本発明は、この衝突する排水流の自然力を利用して、リングを回転又は揺動させることにより、支持軸の凹溝内の外周とリングの内周面を摩擦されて、凹溝内のヌメリやカビ等の付着発生を防止するものであり、凹溝とリングの関係は、凹溝内にリングを挿入した状態においてリング内径ｄは、凹溝外径Ｄよりも僅かに大径となっており、また凹溝高さＨはリング高さｈよりも大きくして、凹溝内をリングが回転又は上下動可能な寸法とされている。ちなみに本第１実施形態例では、凹溝外径Ｄが４．６ｍｍで、高さＨが３．５ｍｍに対し、リング内径ｄが５．２ｍｍでリング高さｈは３．２ｍｍである。また、支持軸外径Ｅは７．５ｍｍで、リング外径ｅは７．７ｍｍとしてヘヤーキャッチャ−の挿入内径よりも僅かにリング外径ｅを大きくしてリングにヘヤーキャチャー１５の抜け止め機能を兼用させている。
【００２２】
この第１実施形態例に掛かる排水栓は、以上のように構成されており、ヘアーキャッチャー１５，１５を排水栓１０から取り外す際は、ヘアーキャッチャー１５，１５を下方に引下げると、支持軸１２の略中央部に周設したリング１４を乗越えて、ヘアーキャッチャー１５，１５は支持軸１２の周面を下方へ摺動して脱着される。ヘアーキャッチャー１５，１５を排水栓１０に取り付ける場合には、上記手順と逆である。
【００２３】
次に、図７乃至図１０は、この発明の排水栓の前記凹溝１３に嵌入される第２実施形態例を示しており、図７は弾性部材であるリングの上記装着状態を示す断面図を、図８は同リングの平面図を、図９は同リングの縦断面図を、図１０は同リングを支持軸の凹溝に装着した状態の平面説明図である。
【００２４】
即ち、本第２実施形態例では、リング１４を径方向に弾性変形可能に形成するとともに、該リング１４の両端部１４Ｃ，１４Ｄを非対称に傾斜させたので、排水流のリング切り欠き部への衝突によるリング押圧力が左右方向で異なり、リング１４が凹溝１３内で回転し易く、さらにリング１４が凹溝１３内で擦れ合い、凹溝１３内をより清潔に保つことができるとともに、該リング１４を径方向に圧縮すると上記両端部１４Ｃ，１４Ｄが重なり合うように形成したので、使用者が誤ってリングを凹溝から取外す恐れが少ないように構成したほかは、他の構成・作用・効果は、前記第１実施形態例と同様であるので、図面には第１実施形態例と同一の符号を付して、その詳細な説明をここでは省略する。
【００２５】
以上、本発明の実施形態例では、凹溝外径に対してリングの内径を僅かに大径として説明したが、凹溝にリングを挿入した状態でリングが自然落下しないリングの内径であればよく、逆に支持軸外径Ｅよりもリング内径ｄが僅かに小径であれば、リングの上下動又は回転により凹溝の壁部全面と摩擦して壁面を含めて清潔にしやすい。
【図面の簡単な説明】
【００２６】
【図１】この発明の排水栓の概略的な構成を示す説明図である。
【図２】同排水栓の支持軸の下部に形成された凹溝に嵌入された第１実施形態例に係るリングの装着状態を示す斜視図である。
【図３】同リングを装着した状態の断面図である。
【図４】同リングの平面図である。
【図５】同リングの縦断面図である。
【図６】同リングを支持軸の凹溝に装着した状態の平面説明図である。
【図７】排水栓の支持軸の下部に形成された凹溝に嵌入された第２実施形態例に係るリングを装着した状態の断面図である。
【図８】同リングの平面図である。
【図９】同リングの縦断面図である。
【図１０】同リングを支持軸の凹溝に装着した状態の平面説明図である。
【符号の説明】
【００２７】
１  排水口
２  周設突起
３  オーバーフロー管
１０  排水栓
１１  栓蓋
１２  支持軸
１３  凹溝
１４  リング（弾性部材）
１４Ａ  リングの外周面
１４Ｂ  リングの内周面
１４Ｃ，１４Ｄ  リングの両端部
１５，１５  ヘアーキャッチャー
【図１】
2010255282.tif 000003
【図２】
2010255282.tif 000004
【図３】
2010255282.tif 000005
【図４】
2010255282.tif 000006
【図５】
2010255282.tif 000007
【図６】
2010255282.tif 000008
【図７】
2010255282.tif 000009
【図８】
2010255282.tif 000010
【図９】
2010255282.tif 000011
【図１０】
2010255282.tif 000012